(57)【要約】 【課題】施錠状態の時、扉が風圧によって開閉方向にガタ付くの極力防止すること。【解決手段】錠箱のフロントから出るデッドボルトを備えた錠前とデッドボルトが係脱する係入口を有する受け金具の組み合わせから成るドアのガタ付き防止装置であって、デッドボルトの先端部側を吸着部に形成し、一方、受け金具の内部に固定側の取付け部分を介して磁石部材を設け、施錠状態の時、デッドボルトの先端部側は磁石部材の吸引力により該磁石部材側に引き寄せられ、少なくともデッドボルトの先端部の一側は、前記係入口の縁部に当接状態になること。【選択図】  図５
2007262693.tif 000002
【特許請求の範囲】
【請求項１】
錠箱のフロントから出るデッドボルトを備えた錠前とデッドボルトが係脱する係入口を有する受け金具の組み合わせから成るドアのガタ付き防止装置であって、前記デッドボルトの先端部側を吸着部に形成し、一方、受け金具の内部に固定側の取付け部分を介して磁石部材を設け、施錠状態の時、デッドボルトの先端部側は磁石部材の吸引力により該磁石部材側に引き寄せられ、少なくともデッドボルトの先端部の一側は、前記係入口の縁部に当接状態になることを特徴とするドアのガタ付き防止装置。
【請求項２】
請求項１に於いて、デッドボルトの吸着部は、少なくとも垂直側壁の一側に吸着性材質の吸着板を有し、一方、受け金具の磁石部材は、受け金具の内部に突片状に設けられた取付け部分に固定手段を介して取り外し可能に設けられていることを特徴とするドアのガタ付き防止装置。
【請求項３】
請求項２に於いて、受け金具の磁石部材は、デッドボルトの進退動方向に位置調整可能に設けられていることを特徴とするドアのガタ付き防止装置。
【請求項４】
錠箱のフロントから出るデッドボルトを備えた錠前とデッドボルトが係脱する係入口を有する受け金具の組み合わせから成るドアのガタ付き防止装置であって、前記デッドボルトの先端部側を、磁石部材を含む吸着部に形成し、一方、受け金具の内部に固定側の取付け部分を介して吸着性材質の吸着板を設け、施錠状態の時、デッドボルトの先端部側は、その吸着力により吸着板側へと移動して、少なくともデッドボルトの先端部の一側は、前記係入口の縁部に当接状態になることを特徴とするドアのガタ付き防止装置。
【請求項５】
請求項４に於いて、受け金具のストライクの取付け部分は、係入口の縁辺を内側に折り曲げて形成された突片部分であり、この突片部分に吸着板が固定手段を介して取付けられていることを特徴とするドアのガタ付き防止装置。
【請求項６】
請求項４に於いて、錠前は、駆動源の駆動力により回転する伝動歯車部材の伝動歯車と噛合するダルマを備えた電気錠であることを特徴とするドアのガタ付き防止装置。
【発明の詳細な説明】
【技術分野】
【０００１】
本発明は、ドアのガタ付き防止装置に関する。
【背景技術】
【０００２】
特許文献１には、デッドボルトを備えた錠前とデッドボルトが係脱する係入口を有する受け金具の組み合わせから成るドア錠に於いて、前記受け金具の収納凹所に第２磁石を設け、一方、錠箱内には、デッドボルトに係合する作動アームに前記第２磁石の極性に対応して吸引される第１磁石を設ける事項が記載されている。
【０００３】
また、特許文献２には、受け金具の収納凹所に第２磁石を設け、一方、錠箱内には、ラッチボルトの先端部に前記第２磁石の極性に対応して吸着する第１磁石を設ける事項が記載されている。
【０００４】
これらの特許文献１、２に共通する技術思想は、扉の閉扉時に、デッドボルト又はラッチボルトを後退方向に付勢するバネ部材のバネ力よりも勝る磁性体同士の吸引力により、デッドボルトを係合方向へ出させようとするものである。これにより、扉の閉扉時におけるデッドボルトの自動施錠（特許文献１）やラッチボルトの係合時の消音防止を図る（特許文献２）ことができる。
【０００５】
さらに、特許文献３には、開閉扉の底部に第２磁石を取り付け、一方、扉の所定の開放位置に対応する床面の適宜箇所に前記第２磁石に吸着する第１磁石を設ける事項が記載されている。この特許文献３に記載の発明は、扉を開放したときに、扉が自由に動かないように磁性体同士の吸着力を利用して、扉を所定位置に止める扉の固定装置である。
【０００６】
これらの特許文献に見られるように、錠前や建具の技術分野において、磁性体同士の吸着力を利用する事項は公知事項であるが、扉が風圧によって開閉方向にガタ付くの極力防止するために、デッドボルト及び受け金具に工夫を施す事項は存在していない。
【特許文献１】登録実用新案第３０１９３８０号公報
【特許文献２】特開平８−２１００１号公報
【特許文献３】特開平１１−２９３９９４号公報
【発明の開示】
【発明が解決しようとする課題】
【０００７】
本発明の第１の目的は、デッドボルトを備えた錠前とデッドボルトが係脱する係入口を有する受け金具の組み合わせから成るドアのガタ付き防止装置であって、該ガタ付き防止装置は、施錠状態の時、扉が風圧によって開閉方向にガタ付くの極力防止することである。第２の目的は、磁石部材（第１実施例）又は吸着板（第２実施例）を受け金具の取り付け部分に簡単に取り付けることができることである。また、磁石部材（第１実施例）又は吸着板（第２実施例）を簡単に交換することができることである。
【課題を解決するための手段】
【０００８】
本発明のドアのガタ付き防止装置は、錠箱のフロントから出るデッドボルトを備えた錠前とデッドボルトが係脱する係入口を有する受け金具の組み合わせから成るドアのガタ付き防止装置であって、前記デッドボルトの先端部側を吸着部に形成し、一方、受け金具の内部に固定側の取付け部分を介して磁石部材を設け、施錠状態の時、デッドボルトの先端部側は磁石部材の吸引力により該磁石部材側に引き寄せられ、少なくともデッドボルトの先端部の一側は、前記係入口の縁部に当接状態になることを特徴とする。
【０００９】
また、本発明のドアのガタ付き防止装置は、錠箱のフロントから出るデッドボルトを備えた錠前とデッドボルトが係脱する係入口を有する受け金具の組み合わせから成るドアのガタ付き防止装置であって、前記デッドボルトの先端部側を、磁石部材を含む吸着部に形成し、一方、受け金具の内部に固定側の取付け部分を介して吸着性材質の吸着板を設け、施錠状態の時、デッドボルトの先端部側は、その吸着力により吸着板側へと移動して、少なくともデッドボルトの先端部の一側は、前記係入口の縁部に当接状態になることを特徴とする。
【発明の効果】
【００１０】
（１）デッドボルトの先端部（吸着部）を受け金具の内部の磁石部材（第１実施例）又は吸着板（第２実施例）に吸着させることにより扉を受け金具の係入口の縁部或いは取付け部分にピッタリと当接させ、これによって、扉が風圧によって開閉方向にガタ付くのを極力防止することができる。
（２）受け金具のストライクに形成した取付け部分に対して固定手段を介して磁石部材又は吸着板を取り付ける実施例の場合には、取り付けが簡単である。また、磁石部材（第１実施例）又は吸着板（第２実施例）を容易に交換することができる。
（３）実施例によっては磁石部材（第１実施例）又は吸着板（第２実施例）の位置調整を容易にできる。
（４）錠前が、駆動源の駆動力により回転する伝動歯車部材の伝動歯車と噛合するダルマを備えた電気錠である場合には、普通一般に受け金具の係入口がデッドボルトの左右の肉厚よりも幅広なので、発明の目的との関係では非常に有効的である。
【発明を実施するための最良の形態】
【００１１】
以下、図１乃至図５に示す本発明を実施するための最良の形態（第１実施例）により説明する。
【００１２】
（１）発明の実施の環境
図１は発明の実施の環境を示す概略説明図である。図１に於いて、Ｘは扉、１は扉Ｘの自由端部に設けられた錠箱である。この錠箱１は、主としてマンション、高層ビルデイングなど住居の平穏ないし施設の管理を重要視する出入り口の電気錠の一部を構成する。
【００１３】
錠箱１は、後述するストライク板と対向するフロント２を有し、このフロント２にはデッドボルト用の開口３が形成されている。また錠箱１はフロント２と交差する幅広の一側壁４並び該一側壁４と対向する他側壁５を有する。
【００１４】
６は一側壁４の固定支軸７に回動自在に装着された伝動歯車部材を構成する伝動歯車の一つである。この伝動歯車６は、施解錠時、説明図で示した駆動源（例えば駆動モータ）の駆動力、該駆動力をダルマ（デッドボルト用駆動体）に伝えるクラッチ機構を介して左右に回転する。なお、図示しない駆動モーター及びクラッチ機構は、錠箱１内に適宜に設けられている。
【００１５】
１０は伝動歯車６と常に噛合するように錠箱１内に設けられたダルマ（デッドボルト用駆動体）である。このダルマ１０は半径方向の一側に伝動歯車６と噛合するギヤー部分１１を、一方、半径方向の他側にデッドボルト３０の作動体３１と係合する駆動腕１２をそれぞれ有する。さらに、ダルマ１０は１対の環状突出嵌合部１３にシリンダー錠等と連結するための中心軸孔１４を有し、前述したギヤー部分１１は、この中心軸孔１４を同軸芯として扇状に形成されている。
【００１６】
１５は錠箱１の一側壁４に取付けベース部１６を介して固定された軸受部材である。この軸受部材１５は取付けベース部１６と連設する環状突出部１７を有し、該環突出状部１７に前記ダルマ１０の突出嵌合部１３が嵌合する。環状突出部１７の上面にはダルマ１０の駆動腕１２と当接するストッパーとしての小突起１９が形成されている。ダルマ１０はこの軸受部材１５に突出嵌合部１３を介して回動可能に装着されている。
【００１７】
２０は軸受部材１５の下方に位置するように錠箱１の一側壁４に固定されたガイド板である。このガイド板２０には、複数個の水平ガイド部（水平長溝、水平長孔など）２１等が所定間隔を有して形成されている。
【００１８】
３０は水平ガイド部２１に係合する複数個の可動ガイド軸２２を介して水平状態に進退動するデッドボルトである。デッドボルト３０は、駆動源の駆動力によりダルマ１０が回転すると、ダルマ１０の駆動腕１２により、錠箱１のフロント２を基準として出没する。      
【００１９】
この実施例では、デッドボルト３０は、ダルマ１０の下方に設けられ、施解錠時、ダルマ１０の駆動腕１２と係合する作動体２５を介してフロント２の開口３から進退動する。なお、前記作動体２５はデッドボルト３０の必須要件ではなく、例えばデッドボルト３０の後端部側の上辺に対向傾斜面を有する係合凹所を形成しても良い、
（２）発明の主要部
ドアのガタ付き防止装置の主要部は、錠箱１のフロント２から出るデッドボルト３０と、このデッドボルト３０が係脱する係入口４４を有する戸枠体Ｙ側の受け金具４０の組み合わせから成る。
【００２０】
まず、デッドボルト３０について説明する。図１及び図２で示すように、角柱状のデッドボルト３０は、一応、フロント２の開口３から突出する「先端部側３０ａ」と、常に錠箱１内に位置する「後端部側３０ｂ」に区別することができるが、第１実施例のデッドボルト３０は、その先端部側３０ａを、吸着部に形成している。
【００２１】
しかして、吸着部３０ａは、図２で示すように、角型ブロック状中実部分３１と、該中実部分３１の先端面及び左右方向から外圧を受ける垂直側壁面を囲むように断面チャンネル形状に形成された吸着性材質の吸着板３２と、中実部分３１及び前記吸着板３２を包むケース状カバー３３とから成る。
【００２２】
ところで、本実施例の吸着板３２は、横断面コ字形状に形成されているが、これは一例であり、少なくとも、後述する受け金具側の磁石部材と対向する中実部分３１の垂直側壁３１ａに垂直板状の吸着板が存在すれば良い。
【００２３】
次に、受け金具４０について説明する。受け金具４０は、図３で示すように、トロヨケ４１と、このトロヨケ４１の前面に固定されるストライク４２とから成る。本実施例のトロヨケ４１の開口４３は、錠前が電気錠であることを考慮して幅広に形成されている。
【００２４】
一方、ストライク４２には、縦長の係入口４４が形成され、該係入口４４を形成する縁辺の一つは内側に略９０度折り曲げて形成され、磁石部材用取付け部分４５となっている。そして、この取付け部分４５の中央部には、固定手段４６用の取付け孔（メネシ孔）４７が形成されている。
【００２５】
次に、磁石部材５０の構成を説明する。本実施例の磁石部材５０は、升部５１ａ及び該升部の一側壁中央部から外方向に延伸する板状固定部５１ｂとから成り、前記升部５１ａにはサイコロ形状の磁石５２が収納されている。
【００２６】
（３）主な作用
磁石部材５０の固定部５１ｂには、水平長孔５３が形成され、本実施例の磁石部材５０は、この水平長孔５３に挿通されかつストライク４２の取付け孔４７にねじ込まれる固定手段４６を介して、ストライク４２に対してデッドボルトの進退動方向に取り外し自在ないし位置調整可能に固定される（図４参照）。
【００２７】
したがって、受け金具４０の内部に取付け部分４５を介して設けられた磁石部材５０は、デッドボルト３０の先端部側３０ａが受け金具４０の幅広係入口４４に入り込んだ施錠時には、デッドボルト３０の側圧を受ける方の垂直側壁の一側３１ａに対向するように位置付けられている。
【００２８】
それ故に、施錠状態の時、図５で示すように、デッドボルト３０の先端部側３０ａの側圧を受ける方の垂直側壁の一側は、例えば室内側に位置する磁石部材５０に吸引され、ストライク４２の係入口４４の縁部４４ａ乃至取付け部分４５及び磁石部材５０の升部５１ａの対向側壁にぴったりと当接する。
【実施例】
【００２９】
本発明の実施例に於いて、ドアを室内側へ自動的に引き戻す手段（例えばドアクローザ）をドア等に取付けた場合、或いは地震の場合を想定して、ドアを常に開く方向に付勢する手段をドア等に取付けた場合には、デッドボルトの先端部の一側を、ストライクの係入口の内側縁部又は外側縁部に当接状態になるようにする。
【００３０】
以下、この欄では、本発明の第２実施例を説明する。なお、第２実施例は、第１実施例と実質的には同一の発明なので、同一の符号を付して重複する説明を割愛する。
【００３１】
第２実施例は、磁性体の吸引力に着目して、第１実施例と逆態様の構成にしている。
すなわち、第２実施例では、デッドボルト３０Ａの先端部側３０ａを、磁石部材５２を含む吸着部に形成し、一方、受け金具４０Ａの内部に取付け部分４５を介して吸着性材質の吸着板３２Ａを設け、該吸着板３２Ａは、デッドボルト３０Ａの先端部側３０ａが受け金具４０Ａの係入口４４に入り込んだ施錠時には、デッドボルトの側圧を受ける方の垂直側壁の一側面３１ａに対向するように位置付けられている。
【００３２】
しかして、前記磁石部材５２は、単純角柱状に形成され、中実部分３１に形成された横方向の嵌合孔３６に埋め込まれている。また、デッドボルト３０Ａのストライク４２の取付け部分４５に固定手段４６を介して取り外し自在に固定され吸着板３２Ａは、断面段差状に形成されている。
【００３３】
図８で示すように、この第２実施例の場合も、第１実施例と同様にデッドボルト３０Ａの先端部側３０ａが受け金具４０Ａの幅広係入口４４に入り込んだ施錠時には、デッドボルト３０Ａの側圧を受ける方の垂直側壁３１ａは、ストライク４２の係入口４４の縁部４４ａ乃至取付け部分４５及び吸着板３２Ａの対向側壁にぴったりと当接する。
【００３４】
なお、第２実施例では、磁石部材５２は、単純角柱状に形成され、中実部分３１に形成された横方向の嵌合孔５２に埋め込まれているが、磁石部材５２の形状は、単数又は複数の円柱状、長板状、杆状等に設計変更可能である。また、埋設態様も任意に行うことかできる。さらに、本発明の各実施例は、磁石と吸着板の組み合わせであるが、可動側と固定側の対向する磁石同士の極性を利用した吸引力であっても良い。その他吸着板の材質は鉄である。
【産業上の利用可能性】
【００３５】
本発明は、主に建具、家具、錠前の業界で利用される。
【図面の簡単な説明】
【００３６】
図１乃至図５は本発明の最良の実施例を示す各説明図。図６乃至図８は本発明の第２実施例を示す各説明図。
【図１】発明の実施の環境を示す概略説明図。
【図２】便宜上の概略説明図（吸着前）。
【図３】受け金具の分解斜視図。
【図４】磁石部材の位置調整を示す概略説明図。
【図５】施錠状態における概略説明図（吸着した状態）。
【図６】第２実施例の便宜上の概略説明図（吸着前）。
【図７】受け金具の要部（ストライク）を示す斜視図。
【図８】施錠状態における概略説明図（吸着した状態）。
【符号の説明】
【００３７】
Ｘ…扉、Ｙ…戸枠体、１…錠箱、２…フロント、３…開口、４…一側壁、５…他側壁、６…伝動歯車、７…固定支軸、１０…ダルマ、１１…ギヤー部分、１２…駆動腕、１３…環状突出嵌合部、１４…中心軸孔、１５…軸受部材、１６…取付けベース部、１７…環状突出部、１９…小突起、２０…ガイド板、２１…水平ガイド部、２２…可動ガイド軸、２５…作動片、３０，３０Ａ…デッドボルト、３０ａ…先端部側（吸着部）、３０ｂ…後端部側、３１…中実部分、３１ａ…垂直側壁、３２、３２Ａ…吸着板、３３…ケース状カバー、４０…受け金具、４１…トロヨケ、４２…ストライク、４３…開口、４４，４０Ａ…係入口、４４ａ…縁部、４５…取付け部分、４６…固定手段、４７…取付け孔、５０…磁石部材、５１ａ…升部、５１ｂ…板状固定部、５２…磁石（永久磁石）、５３…水平長孔。
【図１】
2007262693.tif 000003
【図２】
2007262693.tif 000004
【図３】
2007262693.tif 000005
【図４】
2007262693.tif 000006
【図５】
2007262693.tif 000007
【図６】
2007262693.tif 000008
【図７】
2007262693.tif 000009
【図８】
2007262693.tif 000010